(57)【特許請求の範囲】
【請求項１】
基端に頭部を有するとともに先端に雌ねじを有する管状部材を形成し、この管状部材に複数の溝孔形成工具を押し付け切り込んで軸線方向へ延びる複数の溝孔を形成して拡張スリーブを製造する方法において、前記管状部材の前記頭部と前記溝孔形成部の基端とに挟まれた管基端部を、少なくとも前記溝孔の形成によって拡径する分だけ予め径を大きく形成しておくことを特徴とする固着具の拡開スリーブの製造方法。
【発明の詳細な説明】
【０００１】
【発明の属する技術分野】
本発明は、基端に頭部を有するとともに軸線方向へ延びる複数の溝孔を有し先端部に雌ねじが形成されている拡張スリーブと、軸部に雄ねじを有し拡張スリーブに基端から挿入して雌ねじに螺装される軸状部材との組合せからなり、表側からの作業のみによって被固着部材を固着可能な固着具における拡張スリーブの製造方法に関するものである。
【０００２】
【従来の技術】
従来より、部材の裏側に作業者が入り込んだり工具類を差し込んだりすることなく、表側からの作業のみで固着可能な固着具が広く用いられている。
【０００３】
基端に頭部を有するとともに軸線方向へ延びる複数の溝孔を有し且つ先端に雌ねじが形成されている拡張スリーブと、軸部に雄ねじを有し拡張スリーブに嵌装して雌ねじに螺装される軸状部材とからなる固着具もその一つであって、軸状部材を螺装した拡張スリーブを被固着部材に設けた下孔に表側から嵌め込み、拡張スリーブの頭部を工具で掴んで固定した状態で軸状部材を回して、雄ねじに螺装されている雌ねじを基端方向へ移動させることにより、溝孔の間の部分である拡開部片が屈折して拡がり、頭部と協働して被固着部材を挟み締め付けるものである。このような固着具は、例えば実公昭５６−４８９６５号に記載されているように広く知られている。
【０００４】
そして、この種の固着具は、従来は主に屋根板の固着に広く用いられていたが、近年では、ユニット式の住宅の軸組部材とパネルとの結合等にも用いられるようになっている。
【０００５】
このような固着具において、拡張スリーブの溝孔は、拡開部片が適正に拡開するように形成されることが必要である。そのために、先ず、図４（Ａ）に示すように、基端に頭部５１を設けて先端部に雌ねじ５３を設けた管状部材５を製造し、その側面５２の複数個所、例えば四個所に、溝孔形成用の工具を同時に押し付け、切り込むことによって、管状部材５を曲げたりねじったり等の変形を生じさせることなく複数の溝孔を同時形成して、拡張スリーブ５０を製造する。
【０００６】
このとき、溝孔５４は、拡開部片５５が適正に屈折して拡開できるように、適宜箇所、例えば拡開部片５５の中央よりも少し基端寄りに、丸孔状の拡溝部５６を設けることによって、拡開部片５５に狭幅部分からなる応力集中個所５７を設けることが多い。
【０００７】
【発明が解決しようとする課題】
ところが、このような溝孔５４を工具の切り込みによって作ると、図３に示すように、工具４の厚さ分だけ拡開部片Ｐが押し出されて膨らむため、こうして作られた拡張スリーブ５０は、図４（Ｂ）に示すように、拡開部５９と頭部５１とに挟まれた管基端部５８よりも拡開部５９の径が大きくなってしまう。
【０００８】
一方、被固着部材に設ける下孔は拡開部５９を挿通できる径でなければならないので、拡開部５９が管基端部５８よりも大径となると、図５に示すように、拡張スリーブ５０を被固着部材１１，１２の下孔１５，１６に嵌め込んで頭部５１を表側の被固着部材１１に重ねたときに、管基端部５８が隙間を有して下孔１５，１６に嵌め込まれた状態となる。
【０００９】
そして、前記のような隙間があると、振動、殊に地震によって被固着部材１１，１２同士がずれて引張りなどの無理な力が発生して亀裂を作ることがあり、このようにして軸組部材やパネル等に生じた亀裂は、建物の強度低下や雨漏りなどの原因となる。
【００１０】
【課題を解決するための手段】
そこで、本発明は、上記課題の解決を図ったものであって、管状部材に複数の溝孔形成工具を押し付け切り込んで軸線方向へ延びる複数の溝孔を形成して拡張スリーブを製造する方法において、管状部材の頭部と溝孔形成部の基端とに挟まれた管基端部を、少なくとも溝孔の形成によって拡径する分だけ予め径を大きく形成しておくこととした。
【００１１】
これによって、管状部材に溝孔を形成して得られた拡張スリーブにおいて、被固着部材の下孔に嵌め込まれる管基端部が拡開部と同一径かまたは拡開部よりも大径となるので、拡張スリーブが下孔に隙間なく嵌め込まれ、被固着部材にずれが生じないような固着を行うことができる。
【００１２】
【発明の実施の形態】
本発明の実施の形態を図面に基づいて説明する。
【００１３】
先ず、基端に頭部２１を有するとともに先端部に雌ねじ２３を有する管状部材２を製造する。この管状部材２は、図１（Ａ）に示すように、頭部２１よりも先端側の管状部分のうち、溝孔を形成する部分よりも基端側の管基端部２２を、溝孔形成時に膨出する分だけ大径に形成する。このような管状部材２は、鍛造によって頭部を形成した丸棒にドリルで貫通孔を設けて形成した筒状体、或いは平板に深絞りを施して形成した筒状体の先端部にねじ加工して雌ねじを設ける、という従来の製造方法によって作られた図４（Ａ）に示すような管状部材５の基端部を、例えばすえ込みにより拡径することによって、容易に製造することができる。
【００１４】
次に、溝孔形成用の工具を拡開部となる部分の側面の複数個所、例えば円周方向等間隔の四個所から同時に押し付け切り込んで溝孔２４を形成すると、工具の厚みによって、各拡開部片２５が外側方向へ押し出されて、拡開部２６の径が大きくなる。ところが、管基端部２２が予めその分だけ大径に形成されているので、図１（Ｂ）に示すように、出来上がった拡張スリーブ２０は、管基端部２２と拡開部２６とが同径となる。
【００１５】
従って、図２に示すように、被固着部材１１，１２の下孔１３，１４を管基端部２２と同径に設けて拡張スリーブ２０を挿入すると、管基端部２２と下孔１３，１４の周壁とが密着する。よって、拡張スリーブ２０の雌ねじ２３に螺装させた軸状部材３を回し拡開部片２５を屈折させて拡げ、頭部２１と協働して被固着部材１１，１２を挟み固着すると、被固着部材１１，１２が面と垂直方向はもちろん、面と平行方向にもずれることなく固定されるので、無理な応力が発生して亀裂等を生じることがない。
【００１６】
尚、溝孔２４が形成された拡張スリーブ２０の管基端部２２が拡開部２６よりも少し大径となり、拡開部２６が下孔に緩く挿通されても、管基端部２２が下孔に隙間なく嵌め込まれることによって、被固着部材同士をずれることなく固定することができる。
【００１７】
【発明の効果】
本発明によれば、溝孔形成時に複数の溝孔形成工具を押し付け切り込んでも、管基端部の径を予め所定の大きさだけ大きくしておくことによって、拡張スリーブの拡開部の径が管基端部よりも大きくならない。
【００１８】
従って、被固着部材に設けた下孔に管基端部を隙間なく嵌め込むことができ、固着後に被固着部材同士が地震などでずれることがなく、強度低下や雨漏りなどの原因となる亀裂の発生をなくすことができる。
【図面の簡単な説明】
【図１】本発明の実施の形態を示す縦断面図である。
【図２】図１の実施の形態によって製造された拡張スリーブの使用状態を示す縦断面図である。
【図３】溝孔を形成するときの様子を示す断面説明図である。
【図４】従来例を示す縦断面図である。
【図５】図３の従来例によって製造された拡張スリーブの使用状態を示す縦断面図である。
【符号の説明】
２  管状部材
２０  拡張スリーブ
２１  頭部
２２  管基端部
２３  雌ねじ
２４  溝孔
２５  拡開部片
２６  拡開部
【図１】
0003763912.tif 000002
【図２】
0003763912.tif 000003
【図３】
0003763912.tif 000004
【図４】
0003763912.tif 000005
【図５】
0003763912.tif 000006